(57)【要約】【目的】磁気吸着力が強くかつ取り外しが容易なマグネットホルダーを提供することを目的とする。さらに、焼結磁石スクラップのリユース、リサイクルを可能にするマグネットホルダーを実現することを目的とする。【構成】円形のキャップ状ヨークとその内側に固定した小径ヨークで構成される空間部に磁石を配置してあり、小径ヨークの内周面には雌ネジが切られており、その小径ヨークの雌ネジと噛み合うように雄ネジが外周に切られたディスク状のプランジャーがネジ込まれている。そして、キャップ状ヨークの中心部に穴が開けてあり、その穴を介して、プランジャーを回転させ押し込むことにより、あるいはプランジャーの端面を被接合体面に押し当てた状態で、キャップ状ヨークを回転させることにより、キャップ状ヨーク、小径ヨークおよび磁石が被接合体面から離れ、磁気吸着力が弱まるように構成する。【選択図】　　　　図１
2004146758.tif 000002
【特許請求の範囲】
【請求項１】
円形のキャップ状ヨークの内側に内周面にネジが切られた円筒体形状の小径ヨークが固定されており、該キャップ状ヨークの中心に穴が開けられており、該キャップ状ヨークと該小径ヨークとの間のリング状の空間に磁石が配置されており、さらに外周にネジが切られた非磁性材料製のディスク状のプランジャーが前記小径ヨークに噛合してあって、プランジャーを回転させることにより、あるいはプランジャーを固定しキャップ状ヨークを回転させることにより、キャップ状ヨーク、小径ヨークおよび磁石を被接合体面に接近させたり浮かせたりすることが可能なように構成したことを特徴とするマグネットホルダー。
【請求項２】
前記プランジャーに、キャップ状ヨークの中心部の穴を貫通したフックあるいは接続金具が固定されていることを特徴とする請求項１に記載のマグネットホルダー。
【請求項３】
前記プランジャーを小径ヨーク内に最も引き込んだ状態において、キャップ状ヨークの縁部の端面と小径ヨークの端面がほぼ同一面であり、かつプランジャーの端面が僅かに突出するように構成したことを特徴とする請求項１又は請求項２に記載のマグネットホルダー。
【請求項４】
前記プランジャーの先端部に回転自在にディスク状の当板を設けたことを特徴とする請求項１又は請求項２に記載のマグネットホルダー。
【請求項５】
前記磁石がリング状をなしていることを特徴とする請求項１から請求項４のいずれか１項に記載のマグネットホルダー。
【請求項６】
前記磁石がキャップ状ヨークと小径ヨークの間の空間に収納可能な、同一方向に着磁した複数個の磁石であることを特徴とする請求項１から請求項５のいずれか１項に記載のマグネットホルダー。
【請求項７】
磁石がＮｄ系焼結磁石であることを特徴とする請求項１から請求項６のいずれか１項に記載のマグネットホルダー。
【請求項８】
Ｎｄ系焼結磁石が使用済の機器から取り出した磁石あるいは磁石の製造工程で発生するスクラップであることを特徴とする請求項７に記載のマグネットホルダー。
【請求項９】
Ｎｄ系焼結磁石がハードディスクドライブ用のＶＣＭ磁石であることを特徴とする請求項８に記載のマグネットホルダー。
【請求項１０】
プランジャーの外径がキャップ状ヨークの外径の１／５以上２／３以下であることを特徴とする請求項１から請求項９のいずれか１項に記載のマグネットホルダー
【請求項１１】
小径ヨークの代わりに同一形状の非磁性材料製の円筒形状の部品を用い、かつ非磁性材料製のプランジャーの代わりに同一形状の軟質磁性材料製のプランジャーを用いたことを特徴とする請求項１から請求項１０のいずれか１項に記載のマグネットホルダー。
【発明の詳細な説明】
【０００１】
【発明の属する技術分野】
本発明は強力な磁石を用いてスチール製の柱や機器に磁気吸着させ、重量物を吊したり固定するために用いられるマグネットホルダーに関わり、特に強力な希土類磁石を用いて保持力を大きくした上に小型化し取り付け取り外しが容易に行えるように工夫したものである。
【０００２】
【従来の技術】
スチール製の柱や事務機器あるいは冷蔵庫等の家電機器の前面あるいは側面等に、重量物を固定したり吊す目的で、大型のフェライト磁石を用いたマグネットホルダーが開発され市販されている。これらの多くが、外径５０ｍｍ以上、厚さ５ｍｍ以上のディスク状あるいはドーナツ状のフェライト磁石を用いている。そして、磁石はスチール製のキャップ状ヨークで覆われ、磁気吸着力を増すように工夫されている。それらの多くはヨークの中心部にハンガーが取り付けられ、１０ｋｇ以上の重量物を吊すことが可能なものも市販されている。
【０００３】
あるいは、ダイヤルゲージ等の精密測定器を取り付けるベースとして、脱着が容易に行えるよう、切替レバー付きのマグネットホルダーも使われている。これらは例えば、″マグネットチャック″、″マグネチックインジケーターホルダー″とか″マグネチックスタンド″と呼ばれている。これらのホルダーは、断面が図７に示すような構造となっている（例えば、非特許文献１参照。）。
すなわち、中央部の円筒状のフェライト磁石３４の両側に、２個の互いに磁気的に絶縁されているヨーク７１ａ，７１ｂを配置し、切替レバー（図示省略）を用いて、フェライト磁石３４の向きを９０度回転させることができる構造となっている。例えば図７（ａ）の状態は吸着状態を示す図で、磁石３４のＮ極から発生した磁束は片側のヨーク７１ａから被接合体９１の内部を通り。反対側のヨーク７１ｂを介して磁石３４のＳ極に戻るため、強力な磁気吸着力を発揮する。そして、図７（ｂ）は解放の状態を示す図で、この状態では磁束がそれぞれのヨーク７１ａ，７１ｂ内を通り外側に漏れないため、マグネットホルダーの磁気吸着力はほとんど無くなる。
これらのマグネットホルダーには、通常フェライト磁石が使用されている。
【０００４】
一方、近年Ｎｄ系焼結磁石の生産量はパソコン周辺機器やオーディオ家電機器の小型化、高性能化にともない着実に需要が増え、生産量が増えている。それにともない、生産工程で発生する寸法不良やチッピング等の原因で発生する不良品の数量も増えており、これらの有効利用方法が種々検討されている。しかしながら、それらの多くが再溶解して磁石の原料合金に戻す方法であったり（例えば、特許文献１参照。）、あるいは粉砕して再度磁石を造り直す方法であったため（例えば、特許文献２参照。）、コストパフォーマンスが悪いのを承知で、地球環境への負荷を低減するためやむを得ず実施されているのが実情であった。
さらに、ほとんどのＮｄ系磁石はニッケルメッキなどの表面処理を施されて使われており、そのような不良品や使用済みの磁石をリサイクルする場合、それらのメッキを取り除く必要があり、さらに経済性が悪く、やむを得ず廃棄処分か酸で溶解して鉱石と同じ工程に戻して再利用されているのが実情であった。
【０００５】
特に、Ｎｄ磁石の中でもハードディスクドライブ（ＨＤＤ）のＶＣＭの使用比率が高い。そして、ＶＣＭ磁石の場合、他の用途の磁石以上に品質基準が厳しく、不良品の発生量も多い。さらに、使用済みパソコンの内蔵ＨＤＤ、あるいは外付けのＨＤＤさらにはその他のＨＤＤ内蔵機器の廃棄にともない発生するＶＣＭ磁石スクラップの有効利用についても今後の課題とされていた。
【０００６】
【非特許文献１】
新コロナシリーズ　磁石の世界　加藤哲男著　コロナ社　８６頁１９９７年６月２０日初版第２刷
【特許文献１】
2004146758.tif 000003
【特許文献２】
2004146758.tif 000004
【０００７】
【発明が解決しようとする課題】
前述の大型のリング形状のフェライト磁石にキャップ状のヨークを被せた構成のマグネットホルダーは重量物を吊すことが可能な反面、取り外しが極めて難しい。そのため、ドライバー等の工具を用いて無理に取り外さざるを得ない場合もあり、マグネットホルダーを磁気吸着させている相手材（以下、被接合体と呼ぶ）の表面を傷つけ易いといった問題点が存在した。また、磁気吸着させる場合も、指先をマグネットホルダーと被接合体の間に挟まれ易く危険といった問題点も存在した。
【０００８】
また、図７に示すような切替レバー付きのマグネットホルダーは取り外しは簡単なものの、その構造から厚くなりまた複雑なため、高価であり、精密測定器を固定するのに用いる等、特殊な用途に限定されていた。また、フェライト磁石を使用しているため、強力な磁気吸着力を得ようとする場合には、大型になることは避けられなかった。
【０００９】
本発明のマグネットホルダーは上述の問題点に着眼して発明されたものであり、その目的は、小型で簡単な構造を有し、強力な磁気吸着力を付与したにも拘わらず被接合体からの取り外しを容易にし、かつ安全に被接合体に固定できるように工夫したマグネットホルダーを実現することにある。
さらに、上記の問題を解決することによりフェライト磁石に替わり強力なＮｄ系磁石を用いることも可能にし、より小型で薄く、かつより磁気吸着力の強いマグネットホルダーを実現させることを目的とする。
【００１０】
さらに、Ｎｄ系磁石の生産工程で、あるいは使用済みの家電やパソコン周辺機器等のエレクトロニクス機器から大量に発生するＮｄ系磁石スクラップを有効に活用し、環境負荷の低減に役立つリサイクル、リユース技術を確立すると同時に安価なマグネットホルダーを実現することにある。
【００１１】
【課題を解決するための手段】
上記目的を達成するために本発明のマグネットホルダーは、円形のキャップ状ヨークの内側に内周面にネジが切られた円筒体形状の小径ヨークが固定されており、該キャップ状ヨークの中心に穴が開けられており、該キャップ状ヨークと該小径ヨークとの間のリング状の空間に磁石が配置されており、さらに外周にネジが切られた非磁性材料製のディスク状のプランジャーが前記小径ヨークに噛合してある。そのため、プランジャーを回転させることにより、あるいはプランジャーを固定しキャップ状ヨークを回転させることにより、キャップ状ヨーク、小径ヨークおよび磁石を被接合体面に接近させたり浮かせたりすることにより、磁気吸着力を加減できるように構成したマグネットホルダーとした。
【００１２】
上記のようにネジを利用しているため、大型のマグネットホルダーでもあるいは磁石として強力なＮｄ磁石を用いた場合でも、小さな回転トルクでキャップ状ヨークおよびキャップ状ヨークの内側に配置した磁石を被接合体面から離すことができる。そのような状態では、磁気吸着力が顕著に低減するため、簡単にかつ安全に脱着が可能となる。
【００１３】
本発明のマグネットホルダーにおいては、プランジャーにフックあるいは接続金具を固定し、そのフックあるいは接続金具をキャップ状ヨークの中心部の穴を貫通させた構造とするのが好ましい。
このような構造とすれば、マグネットホルダーの脱着の際、これらのフックや接続金具の部分を介して小径ヨークよりプランジャーを回転させ押し出し、磁気吸着力を弱めることができるので、小さな力で容易にマグネットホルダーの脱着が行えるようになる。
【００１４】
また本発明のマグネットホルダーにおいては、キャップ状ヨークの縁部の端面と小径ヨークの端面がほぼ同一面であり、前記プランジャーを小径ヨーク内に最も引っ込めた状態において、キャップ状ヨークの縁部の端面と小径ヨークの端面より、プランジャーの端面が僅かに突出するように構成するのが望ましい。
【００１５】
あるいは、プランジャーの端面がキャップ状ヨークの縁部の端面や小径ヨークの端面より後退可能な構成とし、前記プランジャーの先端部に回転自在にディスク状の当板を設けるのが望ましい。このようにすることで、キャップ状ヨークを固定して、プランジャーを回転させて押し出すとき、回転トルクを小さくできると同時に被接合体面を保護することが可能となる。
【００１６】
本発明のマグネットホルダーにおいては、キャップ状ヨークと小径ヨークの間のリング状空間に収納可能なリング状磁石を組み込むことができる。
あるいは、リング状の磁石に変えて空間部に収容可能な複数個の磁石を組み込むこともできる。磁石の形状にとらわれず、使用する磁石の選択肢を広げることができる利点がある。
【００１７】
また、本発明のマグネットホルダーにおいては、磁石にＮｄ系焼結磁石を使用することができる。Ｎｄ系焼結磁石を使用することにより、吸着力を一層高めたマグネットホルダーとなり、それによりマグネットホルダーの小型化も可能になる利点がある。
Ｎｄ系焼結磁石としては、使用済の機器から取り出した磁石あるいは磁石の製造工程で発生するスクラップを用いることができる。これらの磁石は価格が安価であるとともに、資源のリサイクルにも寄与する利点がある。
【００１８】
さらに、Ｎｄ系焼結磁石としてハードディスクドライブ用のＶＣＭ磁石を使用することができる。ハードディスクドライブ用のＶＣＭ磁石は他の用途の磁石以上に品質基準が厳しく、不良品の発生量も多い。そのため価格が安価である上に、ＨＤＤ内蔵機器の廃棄にともない発生するＶＣＭ磁石スクラップの有効利用に寄与する利点が大きい。
【００１９】
さらに本発明のマグネットホルダーにおいては、プランジャーの外径がキャップ状ヨークの外径の１／５以上２／３以下とするのが好ましい。
マグネットホルダーをこのように構成することにより、十分な磁気吸着力を確保すると同時に安定して脱着操作ができるようにすることができる。
【００２０】
また、本発明のマグネットホルダーにおいては、小径ヨークの代わりに同一形状の非磁性材料製の円筒形状の部品を用いると同時に、非磁性材料製のプランジャーの代わりに同一形状の軟質磁性材料製のプランジャーを用いることができる。
この場合は、被接合体面に吸着させプランジャーを小径ヨークに引き込んだ状態では、磁束はプランジャー内も通過するので、プランジャーもヨークとして働く。その反対にキャップ状ヨークからプランジャーを押し出した場合、キャップ状ヨークと磁石が被接合体面から離れると同時に、キャップ状ヨークが磁性材料製のプランジャーから切り離されて磁気回路が遮断されるため、磁気吸着力が弱まるので脱着操作が容易になる。
【００２１】
【実施の形態】
以下に本発明の実施形態を図を用いて説明する。
（第１の実施形態）
図１は第１の実施形態に係わる本発明のマグネットホルダーを斜下方から眺めた斜視図を示し、図２は中心を通る断面図を示したものである。
図１および図２に示すよう本発明のマグネットホルダー１は円形のキャップ状ヨーク１１の内側にリング状の磁石３１を配置してある。そしてリング状磁石３１の内側にキャップ状ヨーク１１と中心が一致し、かつ磁気吸着面側の端面がキャップ状ヨーク１１の端面とほぼ同一面となるようにした円筒体形状の小径ヨーク２１がキャップ状ヨーク１１に固定され、さらに小径ヨーク２１の内周面にはネジが切られており、該小径ヨーク２１にネジが外周に切られたディスク状のプランジャー４１を噛合させてある。
【００２２】
さらに、図１、図２に示す本発明のマグネットホルダーでは、プランジャー４１にフック５１あるいは接続金具が固定されており、そのフック５１あるいは接続金具がキャップ状ヨーク１１の中心部の穴１１ｃを貫通している。
そのため、フック５１を用いてプランジャー４１をキャップ状ヨーク１１に対して相対的に回転させることが可能となる。そして、マグネットホルダーの脱着の際、これらのフックや接続金具の部分を介して、小径ヨーク１２よりプランジャー４１を回転させ押し出し、磁気吸着力を弱めることができる。
【００２３】
すなわち、例えば右ネジが切られている場合プランジャー４１の端面４１ａを被接合体面に押し当てた状態で、フック５１を用いてプランジャーの回転を固定した状態で、キャップ状ヨーク１１を反時計方向に回転させることにより、キャップ状ヨーク１１の端面１１ａと小径ヨーク２１の端面２１ａならびに磁石３１の端面３１ａは被接合体面９１ａから離れる。図１に示した斜視図はそのような状態すなわちプランジャー４１が押し出されて解放された状態を示す。このような状態では磁気吸着力が弱まるため容易にかつ安全にマグネットホルダーを外すことができる。
【００２４】
一方、プランジャー４１を押し出した状態で、被接合体面９１ａにマグネットホルダー１を押し当てた後に、前述の操作とは反対の操作を行い、プランジャー４１を小径ヨーク２１内に引き込ませることにより、磁気吸着力が弱い状態から強い状態に変えることが可能となる。そのため安全にマグネットホルダーを被接合体面９１ａに吸着させることができる。図２に示した断面図はそのような吸着状態を示す。
【００２５】
以上述べてきた本発明のマグネットホルダーにおいては、さらにプランジャー４１の外径をキャップ状ヨーク１１の外径の１／５以上でかつ２／３以下とするのが好ましい。マグネットホルダーをこのように構成することにより、十分な磁気吸着力を確保すると同時に安定して脱着操作ができるようにすることができる。
【００２６】
なぜならばプランジャー４１の外径がキャップ状ヨーク１１の外径の１／５未満では、例えば、プランジャー４１の端面を被接合体面９１ａに押し当てた状態で、キャップ状ヨーク１１を回転させることによりキャップ状ヨーク１１を被接合体面９１ａから離そうとするとき、マグネットホルダーが不安定で倒れやすく、取り外しがスムーズに行い難くなるからである。さらに望ましくは１／４以下とするのが望ましい。
【００２７】
一方、プランジャー４１の外径がキャップ状ヨーク１１の外径の２／３を越えると、キャップ状ヨーク１１と小径ヨーク２１との間に構成される空間部が小さくなり、したがって、組み込める磁石の体積が減り、磁気吸着力が小さくなるからである。さらに、十分な磁気吸着力を確保するためには１／２以下とするのが望ましい。
【００２８】
さらに、本発明のマグネットホルダーでは、小径ヨーク２１の代わりに同一形状の非磁性材料製の円筒形状の部品を用いると同時に、非磁性材料製のプランジャーの代わりに同一形状の軟質磁性材料製のプランジャーを用いることができる。この場合は、被接合体面に吸着させプランジャー４１を小径ヨーク２１に引き込んだ状態では、磁束はプランジャー内も通過する。すなわちプランジャー４１もヨークとして働く。そして、その反対にキャップ状ヨークからプランジャーを押し出した場合、キャップ状ヨーク１１と磁石３１が被接合体面から離れると同時に、キャップ状ヨーク１１が磁性材料製のプランジャー４１から切り離され磁気回路が遮断されるため磁気吸着力が弱まる。そのため脱着操作が容易になる。
【００２９】
小径ヨークよりプランジャーの方が概して断面積を大きくしやすい。そのため軟質磁性材料製のプランジャーを用いた方式の場合、先に述べた軟質磁性材料製の小径ヨークを用いる方式と比べて、特にＮｄ系磁石を用いる場合、ヨーク内の磁気飽和を招くことなく磁気吸着力を大きくし易い利点がある。
【００３０】
なお、キャップ状ヨークや内側の小径ヨーク等に用いる材料としては、例えば電磁軟鉄材料、軟鋼、炭素鋼等を用いることができる。あるいは、磁性ステンレス鋼であるＳＵＳ４３０等のフェライト系ステンレス鋼を用いることができる。特にＳＵＳ４４４等のＣ、Ｎ等の侵入型不純物元素を低減したフェライト系ステンレス鋼がより最適な材料として選択しうる。特に、フェライト系ステンレス鋼は耐食性が優れており、メッキ等の表面処理を施すことなく使用できる利点がある。
【００３１】
特にＮｄ磁石を用いる場合は、フェライト磁石を用いる場合よりキャップ状ヨークの厚さを増すことで、ヨーク中の磁気飽和を避け、磁気吸着力を十分大きくすることが可能となる。
【００３２】
非磁性のプランジャーに用いる材料としては、例えば黄銅、アルミニウム、アルミニウム合金、あるいは非磁性ステンレス鋼であるＳＵＳ３０４やＳＵＳ３１６等のオーステナイト系ステンレス鋼等を用いることができる。
【００３３】
なお、キャップ状ヨーク１１と小径ヨーク２１の端面１１ａ，２１ａはともに、例えば、図２の断面図に示すように、プランジャー４１を完全に引き込んだ状態で、プランジャーの端面４１ａより僅かに後退させるのが望ましい。
例えば、被接合体面９１ａからマグネットホルダーを外そうとして、プランジャー４１の端面４１ａを被接合体面９１ａに押し当てた状態で、キャップ状ヨーク１１を反時計方向に回転させる場合、上記のような設計とすることにより、キャップ状ヨーク１１と小径ヨーク２１の端面１１ａ、２１ａを被接合体面９１ａに接することなく回転させることが可能となり、被接合体面に疵をつける心配がなくなるからである。具体的にはその後退の程度は、０．１〜１．０ｍｍ程度とするのが望ましい。０．１ｍｍ未満では、被接合体面に触れる可能性があり、１．０ｍｍ以上では磁気吸着力が小さくなるからである。さらに望ましくはその後退の程度は、０．２ｍｍ〜０．６ｍｍとする。
【００３４】
本発明で使用する磁石材料には特に制限はなく、金属磁石、フェライト磁石、鋳造磁石、焼結磁石等その種類は問わない。
さらにそれらの中で、特に組み込む磁石材料をＮｄ系焼結磁石とすれば、より吸着力を高めたマグネットホルダーとすることができる。それにより、マグネットホルダーの小型化も可能となる。
【００３５】
さらに、Ｎｄ系焼結磁石として、使用済の機器から取り出した磁石あるいは磁石の製造工程で発生するスクラップを用いるのが好ましい。それによりＮｄ系磁石のスクラップの有効利用を図ると同時に、マグネットホルダーのコストの低減を計ることができる。
【００３６】
なお、磁石を組み込んだ後、例えば２液硬化性のプラスチック等を流し込みキャップ状ヨークの端面と同じレベルとなるように埋め込むことができる。それにより、特にＮｄ系磁石を組み込む場合のように、脆く、耐食性が低い材料においても、耐久性を一段と高めることができる。さらに、その表面に摩擦係数が大きいゴムの薄板等を貼り付けることにより、被接合体面上で滑りにくくして、耐吊り下げ荷重を増すと同時に被接合体面への当たりを和らげることができる。
【００３７】
（第２の実施形態）
本発明の第２の実施形態のマグネットホルダーは、上述のリング状磁石の代わりにキャップ状ヨークの内側と小径ヨークの外側の間の空間部に収納可能な、同一方向に着磁した複数個の磁石を組み込んだことを特徴とする。このようにすることで、磁石の形状にとらわれることなく、使用する磁石の選択肢を広げることができる。
【００３８】
リング状磁石の代わりに用いる磁石について以下にさらに詳細に説明する。
キャップ状ヨークの内側と小径ヨークの外側の間の空間部に、同一方向に着磁した複数個の磁石を組み込むことが可能であり、これらの磁石として例えばディスク状、直方体形状の磁石を用いることができる。また、必ずしもこのような形に限定されず、空間部に納まる形状の磁石であれば特に限定されない。さらに個々の磁石が薄い場合、着磁方向を合わせて重ねて用いることもできる。このような構成とすることで使用する磁石の選択肢が著しく広がる。
図３は、６個のディスク状磁石３２をキャップ状ヨーク１１と小径ヨーク２１の間の空間にはめ込んだ様子を斜下方から眺めた斜視図である。
【００３９】
なお、空間部に収納する磁石の総体積が大きいほどマグネットホルダーの磁気吸着力を大きくすることが可能となる。言い換えれば、マグネットの量を加減することにより、マグネットホルダーの磁気吸着力の調整が可能である。
また、組み込む磁石の厚さは、重ねない場合は単体の磁石の厚さが、重ねる場合は重ねた状態での合計厚さがキャップ状ヨークの内側と小径ヨークの外側の間の空間部の内高を越えない範囲で厚めとすることにより、磁気吸着力を大きくすることができる。
【００４０】
（第３の実施形態）
本発明の第３の実施形態は、使用する磁石がハードディスクドライブ用のＶＣＭ磁石であることを特徴とするマグネットホルダーである。ＶＣＭ磁石は生産量も多く、また仕様が厳しいことからスクラップの発生量も多い。一方、ＶＣＭは一般的に扇形をしており、その特殊な形状から、再利用が困難であった。本発明のマグネットホルダーの場合、リング状磁石の代替としてＶＣＭ磁石をそのまま用いることが可能であり、ＶＣＭ磁石の有効な再利用方法を提供することができる。
【００４１】
図６は、図４に示すような形状のＶＣＭ磁石３３をそれぞれ２枚重ねて、１２０°回転対称に計６枚キャップ状ヨーク１２と小径ヨーク２２の間の空間にはめ込んだ様子を吸着面側から見た平面図を示したものである。図５には中心部を通る断面図を示した。
小径ヨークには図５に示すように、プランジャー４２の先端に回転自在に当板４２ａを組み込んである。当板の裏側には例えばフッ素樹脂製（ＰＴＦＥ）の薄板のように摩擦係数の小さい材料４２ｂを張ることにより、回転トルクを小さくすることができる。さらに必要に応じてスラスト荷重用ボールベアリングを組み込むことができる。一方、当板の表側にはゴムのような摩擦係数が大きく柔らかいクッション材料４２ｃを張るのが望ましい。
この場合、キャップ状ヨーク１２を手で押さえ、フック５２を用いてプランジャー４２を回転させ押し込んでも、当板４２ａは被接合体面上で静止状態を保ち、被接合体面に疵をつけることはなく、また摩擦力が小さいため回転トルクを小さくできる利がある。
【００４２】
なお、図５に示すマグネットホルダーの例では、小径ヨーク２２にはボス２２ｂを設け、キャップ状ヨークへの固定をし易くすると同時に小径ヨークの内周面に切ったネジの有効長さを増し、プランジャーの可動範囲が大きくなるように設計してある。特に、強力なＮｄ系磁石を用いる場合、キャップ状ヨークの高さは小さくしても十分強力な磁気吸着力を発揮する。そのような場合においても、図５のような設計とすることで、プランジャーの可動範囲を大きく取れ、磁気吸着力を十分弱めることが可能となる。
なお、図５に示したマグネットホルダーでは小径ヨーク２２をキャップ状ヨークの中心部に開けた穴に填め込み、ボス部の周囲をハンダ付等の方法でキャップ状ヨークに固定してある。ただし、このような例に限定されず、小径ヨークはキャップ状ヨークにねじ込み方式で固定しても良い。あるいは、キャップ状ヨークと小径ヨークを一体物から切削加工して製作しても良い。
【００４３】
【実施例】
（実施例１）
図１及び図２に示す構造のマグネットホルダー１を製作した。キャップ状ヨーク１１は軟鋼製でありその寸法は外径７６ｍｍ、外形高さ１０．４ｍｍ、内高８．２ｍｍ、縁部の厚さ２．０ｍｍである。キャップ状ヨーク１１の中心部には、直径２０ｍｍのキリ穴１１ｃを開けた。
小径ヨーク２１は電磁軟鉄丸棒を用いて作製し、その寸法は外径３０ｍｍ、高さ８．２ｍｍ、厚さ３ｍｍのリング状とし、内側にピッチ１．５ｍｍのネジを切った。そのようにして作製した小径ヨーク２１をキャップ状ヨーク１１の内側中央部に中心を一致させてハンダ付けした。
そして、黄銅製の丸棒を素材として、小径ヨーク２１のネジに噛み合うように表面にネジを切った、外径（ネジ山部の径）２５．４ｍｍ、高さ８．４ｍｍの円盤状のプランジャー４１を作製した。プランジャー４１には図に示すようなＬ字状のフック５１をＭ４のネジ３本を用いて固定した。
【００４４】
さらに、キャップ状ヨーク１１と小径ヨーク２１の間の空間部に、外径７０ｍｍ、内径３２ｍｍ、高さ（厚さ）８ｍｍのフェライト系磁石３１を組み込んだ。このようにして作製したマグネットホルダー１の磁気吸着力を厚さ３ｍｍの鋼板を用いて測定した。磁気吸着力は、プランジャーを小径ヨークに引き込んだ状態（引込状態）、そしてプランジャーをキャップ状ヨークおよび小径ヨークの端面から６ｍｍ押し出した状態（押出状態；押出量６ｍｍ）で求めた。その結果、引込状態では１６０Ｎと十分な磁気吸着力を示した。一方、押出状態での磁気吸着力は６Ｎと極めて小さくなり、その状態では極めて容易にかつ安全に脱着が可能であった。
また、プランジャーが引込状態で鋼板に吸着させたマグネットホルダーから、プランジャーを引き出すための回転トルクは、ネジを利用しているため約０．６Ｎ・ｍと極めて小さく、極めて容易に取り外せることが確認できた。
ちなみにＪＩＳ　Ｂ　４６４８“六角棒スパナ”によれば、対辺間距離２ｍｍの六角棒スパナの許容トルクは１．９Ｎ・ｍであり、その許容トルクより小さい本発明のマグネットホルダーは取り外しに必要なトルクが極めて小さいことが分かる。
【００４５】
（比較例１）
実施例１と同じ形状寸法および同じ材質を用いたキャップ状ヨークと小径ヨークに実施例１と同じ形状寸法のフェライト系磁石を組み込んだ。但し、プランジャーは組み込まなかった。このようにして作製したマグネットホルダー２の磁気吸着力は磁石とヨークの構成が全く同じであるため、実施例１と同じであった。しかしながら、プランジャーは組み込んでいないため、磁気吸着力の加減調整は不可能であり、脱着はかなり難しく、十分慎重に行う必要があった。
【００４６】
（実施例２）
実施例１と同じようにして作製したキャップ状ヨークと小径ヨークならびにプランジャーを用いて、それに直径１６ｍｍ、高さ（厚さ）８ｍｍのディスク状のＮｄ系磁石を回転対称に６個組み込み、図３に斜視図で示すようなマグネットホルダー３を作製した。
【００４７】
このようにして作製したマグネットホルダー３の磁気吸着力を、実施例１と同様にプランジャーの引込状態及び押出状態（押出量６ｍｍ）で求めた。その結果、引込状態では４５０Ｎと極めて強力な磁気吸着力を示した。一方、押出状態での磁気吸着力は１２Ｎと極めて小さくなり、その状態では容易にかつ安全に脱着が可能であった。
また、実施例１と同様に求めたプランジャーを押し出すのに必要な回転トルクは、ネジを利用しているため約１．８Ｎ・ｍと十分小さく、容易に取り外せることが確認できた。
【００４８】
（比較例２）
実施例１と同じようにして作製したキャップ状ヨークと小径ヨークならびにプランジャーを用いて、それに実施例２と同様に直径１６ｍｍ、高さ（厚さ）８ｍｍのディスク状のＮｄ系磁石を回転対称に６個組み込んだ。但し、プランジャーは組み込まなかった。このようにして作製したマグネットホルダー４の磁気吸着力は磁石とヨークの構成が全く同じであるため、実施例２と同じであった。しかしながら、プランジャーは組み込んでいないため、磁気吸着力の加減調整は不可能であり、脱着は極めて難しく、ドライバーやペンチ等の工具を用いて強引に外す必要があった。
【００４９】
（実施例３）
軟鋼製の丸棒から旋盤加工で、外径５６ｍｍ、外形高さ６．０ｍｍ、内高４．０ｍｍ、縁部の厚さ２．０ｍｍのキャップ状ヨーク１２を作製した。キャップ状ヨーク１２の中心部に、直径２０．１ｍｍのキリ穴を開けた。小径ヨーク２２は電磁軟鉄丸棒を用いて、図５断面図に示すように部分的に厚いボス部２２ｂを設けキャップ状ヨークに突き当てて止まるように設計した。そして、その状態で、吸着面側の端面がキャップ状ヨークの端面と同一面となるようにした。その寸法はボス部の外径：３０ｍｍ、本体部の外径：２０．０ｍｍ、高さ：８．０ｍｍ、本体部厚さ：２．５ｍｍとし、内周面にピッチ１．２ｍｍのネジを切った。そのようにして作製した小径ヨーク２２をキャップ状ヨーク１２のキリ穴に填め込み、ボス部の周囲をロウ付けにより固定した。そして、黄銅製の丸棒を素材として、小径ヨーク２２に噛み合うように表面にネジを切った外径（ネジ山部の径）１６．４ｍｍ、高さ８．０ｍｍのプランジャーを作製し、それに図５に示すようなＬ字状のフックをＭ４のネジで固定した。なお、プランジャーの先端には弗素樹脂（ＰＴＦＥ）製の薄板４２ｂを介して、当板４２ａを回転自在に配置し、その表面にはゴムの薄板４２ｃを当てた。
【００５０】
このようにして作製したキャップ状ヨークと小径ヨークの間の空間部に、図４に示す形状のＶＣＭ磁石スクラップ３３を２枚重ね、１２０度回転対称に３箇所合計６個組み込み、図６に接合面側から見た平面図で示すようなマグネットホルダー５を作製した。なお、ＶＣＭ磁石３３の概略寸法は、外周側の曲率半径：約２４ｍｍ、内周側の曲率半径：約８ｍｍ、中央部の横幅：１４．８ｍｍ、両端の直線部の成す角度：約９０°、厚さ：１．６ｍｍであり、単重は５．８ｇであった。
【００５１】
このようにして作製したマグネットホルダー５の磁気吸着力を実施例１と同様にプランジャーの引込状態、そして押出量を４ｍｍとした状態で求めた。その結果、引込状態では２８０Ｎと極めて強力な磁気吸着力を示した。一方、押出状態での磁気吸着力は１０Ｎと極めて小さくなり、その状態では容易にかつ安全に脱着が可能であった。
また、実施例１と同様に求めたプランジャーを引き出すための回転トルクは、ネジを利用しているため約１．４Ｎ・ｍと十分小さく、容易に取り外せることが確認できた。
【００５２】
（実施例４）
実施例１と同材質、同寸法のキャップ状ヨークを用いて、小径ヨークの代わりに非磁性の黄銅製丸棒を用いて、実施例１と同じ形状寸法の部品を作製し、キャップ状ヨークの内側中央部にハンダ付けした。一方プランジャーは電磁軟鉄棒を素材として実施例１と同一形状寸法のものを製作した。さらに、実施例３と同じＶＣＭ磁石スクラップ３３を５枚重ね９０度回転対称に４箇所合計２０個組み込んだ。
【００５３】
このようにして作製したマグネットホルダー６の磁気吸着力を、実施例１と同様にプランジャーの引込状態及び押出状態（押出量６ｍｍ）で求めた。その結果、引込状態では５３０Ｎと極めて強力な磁気吸着力を示した。一方、押出状態での磁気吸着力は１５Ｎと極めて小さくなり、その状態では容易にかつ安全に脱着が可能であった。
また、実施例１と同様にして求めたプランジャーを押し出すのに必要な回転トは、ネジを利用しているため約２．３Ｎ・ｍと十分小さく、容易に取り外せることが確認できた。
ちなみにＪＩＳ　Ｂ　４６４８“六角棒スパナ”によれば、対辺間距離２．５ｍｍの六角棒スパナの許容トルクは３．８Ｎ・ｍであり、その許容トルクより小さい本発明のマグネットホルダーは取り外しに必要なトルクが極めて小さいことが分かる。
【００５４】
【発明の効果】
以上説明したように、本発明のマグネットホルダーは極めて大きな磁気吸着力を有するにもかかわらず被接合体からの取り外しが容易である。また、安全に取り付けることもできる。
さらに、Ｎｄ系磁石の生産工程で、あるいは使用済みの家電やエレクトロニクス関連機器から大量に発生するＮｄ系磁石スクラップを有効に活用し、リユース、リサイクルを可能にするため、地球環境への負荷低減にも役立ち、かつ貴重かつ高価なＮｄ系磁石を使っているにもかかわらず、安価とすることができる。
【図面の簡単な説明】
【図１】第１の実施形態に係わるマグネットホルダーの斜視図である。
【図２】第１の実施形態に係わるマグネットホルダーの中心を通る断面図である。
【図３】第２の実施形態に係わるマグネットホルダーの斜視図である。
【図４】第３の実施形態に用いたＶＣＭ磁石の概略形状を示す図である。
【図５】第３の実施形態に係わるマグネットホルダーの中心を通る断面図である。
【図６】第３の実施形態に係わるマグネットホルダーを吸着面側から見た平面図である
【図７】従来の切替レバー付きのマグネットホルダーの原理図を示す図である。
【符号の説明】
１１、１２　　　　キャップ状ヨーク
２１、２２　　　　小径ヨーク
３１、３２、３３、３４　磁石
４１、４２　　　　プランジャー
５１、５２　　　　フック
【図１】
2004146758.tif 000005
【図２】
2004146758.tif 000006
【図３】
2004146758.tif 000007
【図４】
2004146758.tif 000008
【図５】
2004146758.tif 000009
【図６】
2004146758.tif 000010
【図７】
2004146758.tif 000011